(57)【特許請求の範囲】
【請求項１】
伸縮性を有する前身頃片（２）と後身頃片（３）とを互いに縫合して、胴周り開口部（１１）及び一対の脚周り開口部（１２）が形成されると共に、前記一対の脚周り開口部（１２）の間に股当て片（４ａ）を備えた股下部（４）が形成されてなり、前記後身頃片（３）の略中央部に位置して、股下部から胴周り開口部側に向かって縦方向に延びる伸縮性テープ（１６）が取付けられてなるショーツ（１）において、
前記伸縮性テープ（１６）が股下部（４）から胴周り開口部（１１）側に向かって取付けられることによって、股当て片（４ａ）と後身頃片（３）とを縫合する縫合線（８）から胴周り開口部（１１）側に向かって一定長の伸縮性ギャザー部（２０）と、この伸縮性ギャザー部よりも上方側の背側部（１９）とが形成されてなり、
前記伸縮性ギャザー部（２０）が背側部（１９）よりも伸び易く、背側部（１９）が股下部（４）よりも伸び易く構成されてなり、且つ、前記伸縮性ギャザー部（２０）は、伸縮性テープ（１６）が縦方向に所定量伸長した状態を維持しつつ取付けられることによって、後身頃片（３）と股当て片（４）との縫合線（８）から上方に収縮状態で３０〜１１０ｍｍの領域に形成されてなることを特徴とする、ショーツ。
【請求項２】
前記脚周り開口部（１２）の前方部分に、前身頃片（２）とは別体の脚周り片（１４）が取付けられてなることを特徴とする、請求項１記載のショーツ。
【請求項３】
前記後身頃片（３）の横方向寸法が、前身頃片（２）の横方向寸法よりも大きく形成され、前身頃片（２）と後身頃片（３）とがショーツの腹側に偏倚した位置で縫合されてなることを特徴とする、請求項１または２のいずれかに記載のショーツ。
【発明の詳細な説明】
【０００１】
【発明の属する技術分野】
本発明はショーツに関し、とりわけ、尿吸収パットや生理用ナプキンなどの吸収性パットを併用することに好適なショーツに関する。
【０００２】
【従来の技術】
吸収性パットを併用する失禁用ショーツや生理用ショーツにおいては、この吸収性パッドを着用者の陰部に密着保持させる機能を有することが求められる。
そこで、本件出願人は、実開昭５９−１２２１２３号公報において、ショーツの後身頃片の胴周り方向略中央位置に、股下部から胴周り開口部側に向かって延びる伸縮性テープを取付けた生理用ショーツを提案した。
前記生理用ショーツは、伸縮性テープによってショーツによるナプキンの密着保持性を改善して、ナプキンを女性陰部に密着保持させるようにしてある。
【０００３】
本件発明者は、吸収性パットを併用することに好適なショーツに関して、この吸収性パッドを着用者の陰部に密着保持させる機能の向上を研究しており、その結果、ショーツの伸縮を着用者の動作に追従させることが機能の向上に寄与することを知見した。
【０００４】
【発明が解決しようとする課題】
本発明は斯かる従来の実状に鑑みて案出されたもので、ショーツが着用者の動作に追従でき、ショーツに吸収性パットを装着した場合にこの吸収性パットがずれることなく陰部に密着できるようにしたショーツを得ることを課題とする。
【０００５】
【課題を解決するための手段】
そこで、請求項１記載の発明は、伸縮性を有する前身頃片と後身頃片とを互いに縫合して、胴周り開口部及び一対の脚周り開口部が形成されると共に、前記一対の脚周り開口部の間に股当て片を備えた股下部が形成されてなり、前記後身頃片の略中央部に位置して、股下部から胴周り開口部側に向かって縦方向に延びる伸縮性テープが取付けられてなるショーツにおいて、
前記伸縮性テープが股下部から胴周り開口部側に向かって取付けられることによって、股当て片と後身頃片とを縫合する縫合線から胴周り開口側に向かって一定長の伸縮性ギャザー部と、この伸縮性ギャザー部よりも上方側の背側部とが形成されてなり、
前記伸縮性ギャザー部が背側部よりも伸び易く、背側部が股下部よりも伸び易く構成してある。
【０００６】
また、請求項２記載の発明は、 前記伸縮性ギャザー部が、伸縮性テープが縦方向に所定量伸長した状態を維持しつつ取付けられることによって、後身頃片と股当て片との縫合線から上方に収縮状態で３０〜１１０ｍｍの領域に形成されてなる構成にしてある。
【０００７】
また、請求項３記載の発明は、 前記脚周り開口部の前方部分に、前身頃片とは別体の脚周り片が取付けられてなる構成にしてある。
【０００８】
また、請求項４記載の発明は、 前記後身頃片の横方向寸法が、前身頃片の横方向寸法よりも大きく形成され、前身頃片と後身頃片とがショーツの腹側に偏倚した位置で縫合されてなる構成にしてある。
【０００９】
ここで、前記前身頃、後身頃には、織布、不織布、編物等の各種布が採用可能である。したがって、この発明における縫合及び縫合線は接合及び接合線が含まれる。
【００１０】
【発明の実施の形態】
以下、本発明の実施の形態を図面に基づいて詳述する。
図１は本発明のショーツの断面図、図２は図１の背面図である。
図において、ショーツ１は、前身頃片２と後身頃片３とを互いに縫合して、胴周り開口部１１及び一対の脚周り開口部１２が形成してあると共に、一対の脚周り開口部１２の間に股当て片４ｂを備えた股下部４が形成してある。
即ち、前身頃片２と後身頃片３とがショーツ１の腹側において上下方向に延びる縫合線６で縫合してあると共に、この実施の形態において前身頃片２及び後身頃片３とは別体の股下片４ａを、前身頃片２及び後身頃片３に縫合線５及び縫合線７で縫合してあることによって、胴周り開口部１１、一対の脚周り開口部１２、股下部４が形成してある。
【００１１】
この場合に、前記後身頃片３の横方向寸法は前身頃片２の横方向寸法よりも大きく形成してあり、前身頃片２と後身頃片３とはショーツ１の腹側に偏倚した位置位置で縫合されている。即ち、前記前身頃片２と後身頃片３との縫合線６がショーツ１着用者の腹側に位置するようにしてある。
また、前記股当て片４ｂは、前身頃片２に対しては股当て片４aと同様に縫合線５で縫合され、後身頃片３に対しては縫合線８で縫合してある。前記縫合線５，７，８は図１及び図２に示されるように、略横方向に延びている。なお、前記股下部４の内側、即ち股当て片４bの内側には吸収性パッド（図示せず）が装着可能である。
【００１２】
前記前身頃片２及び後身頃片３は好ましくは縦横方向に伸縮性を有するツーウエイストレッチ布が用いられる。
前記股下部４の股下片４ａは、適度な伸びを有する布が用いられ、前身頃片２及び後身頃片３の伸縮性よりも小さい伸縮性を有する布が選択される。また、前記股下部４の股当て片４ｂは防水性及び通気性を有し、かつ伸縮性の小さい布、合成樹脂製シート等が選択される。
【００１３】
前記胴周り開口部１１の周縁には胴周り方向へ伸縮可能な飾りテープ１３が縫合線１３aをもって取付けてある。
【００１４】
また、前記一対の脚周り開口部１２には、前方部分、即ちショーツ１の着用者の鼠蹊部に対応する位置に、前身頃片２とは別体であって、脚周り方向に弾性を有する脚周り片１４が縫合線１４ａをもって縫合してある。この場合に、前記脚周り開口部１２は、前身頃片２と、後身頃片３と、股下部４と、脚周り片１４とによって形成されていることになる。なお、前記脚周り片１４を前身頃２の後身頃３側又は股下部４側に取付けることによって、脚周り開口部１２を前身頃片２と、後身頃片３と、股下部４と、脚周り片１４とによって形成することが可能である。
【００１５】
前記脚周り片１４は、脚周り方向とこれに直角な方向に伸縮性を有するように配置され、好ましくは脚周り方向に伸び易いように配置される。
また、前記一対の脚周り開口部１２の周縁には、脚周り片１４が配置された部分を除いて、脚周り方向に弾性を有する飾りテープ１５が縫合線１５aに沿って縫合してある。
【００１６】
前記ショーツ１には、後身頃片３の幅方向略中央部に位置して、股下部４から胴周り開口部１２側に向かって縦方向に延びる伸縮性テープ１６が取付けてある。前記伸縮性テープ１６は、ウレタン繊維を織り込んだ幅３〜２０ｍｍのバイアステープが採用可能であって、後身頃３と股当て片４ｂ（股下部４）との縫合線８から上方の一定長の領域１８において、取付け時に縦方向に所定量伸長した状態を維持しつつ付けられ、背側部１９及び股下部４においては伸長しない自由状態に取付けられる。
この場合に、前記領域１８に取付けられる際の伸縮性テープ１６の伸長率は、１０５〜１４０％が選択され、好ましくは１１０〜１３０％が選択される。
尚、前記股下部４においては、伸縮性テープ１６は股下片４ａと股当て片４ｂとの間に配置され、股下片４aに取付けてある。
【００１７】
これによって、前記縫合線８から上方の一定長の領域１８、好ましくは縫合線８から上方に収縮状態で３０〜１１０ｍｍの領域１８に伸縮性ギャザー部２０が形成され、この伸縮性ギャザー部２０が背側部１９よりも伸び易く、背側部１９が股下部４よりも伸び易く構成される。即ち、伸縮性ギャザー部２０、背側部１９及び股下部４の伸び易さを比較した場合、股下片４aに前身頃片２及び後身頃片３よりも伸び易い布を採用することによって、伸縮性ギャザー部２０が最も伸び易く、股下部４が最も伸びにくく、かつ背側部１９が中間的な伸び易さを有していることになる。
【００１８】
この場合に、前記伸縮性ギャザー部２０の長さとして３０〜１１０ｍｍが選択されるのは、長さが３０ｍｍ未満である場合には、ショーツ１の着用者が座ったり屈んだりする動きによる体形の変化を吸収しきれず、吸収性パッドを装着した場合に、着用者の動作によっては吸収性パッドがずれ易くなる一方、長さが１１０ｍｍを超えるとショーツ１全体が縮んでしまい、ショーツ１を着用したときに、ウエストラインが下方に引っ張られてＶ字状になってしまうことになるからである。
【００１９】
斯かる構成のショーツ１にあっては、前記伸縮性ギャザー部２０が背側部１９よりも伸び易く、背側部１９が股下部４よりも伸び易く構成されていることによって、着用時のフィット性が向上される。即ち、前記ショーツ１は、着用者が立ち状態及び座り状態を繰り返す場合に、とりわけ伸縮性テープ１６が取付けられた部分において、各部位に応じて所定の伸縮性をもって伸縮することにより、着用者の動きに追従し、着用者にフィットした状態が維持される。
これによって、前記股下部４の内側に吸収性パッドを装着した場合において、吸収性パッドのずれが有利に防止される。
したがって、前記ショーツ１に装着した吸収性パッドがずれることなく陰部に密着できるようにしたショーツ１が得られる。
【００２０】
また、 前記伸縮性ギャザー部２０は、伸縮性テープ１６が縦方向に所定量伸長した状態を維持しつつ取付けられることによって、後身頃片３と股当て片４ｂとの縫合線８から上方に収縮状態で３０〜１１０ｍｍの領域１８に、伸縮性ギャザー部２０が形成されてなるから、伸縮性ギャザー部２０を容易に、所定長さに亘って形成することができる。
【００２１】
また、前記脚周り開口部１２の前方部分に、前身頃片２とは別体の脚周り片１４が取付けられてなるから、この脚周り片１４を伸び易い布で構成することにより、着用者の前方部分、即ち鼠蹊部を無用に圧迫することがなく、優れた着用感覚を得ることができる。
【００２２】
また、前記後身頃片３の横方向寸法が、前身頃片２の横方向寸法よりも大きく形成され、前身頃片２と後身頃片３とがショーツ１の腹側に偏倚した位置で縫合されてなるから、ショーツ１の着用時、縫合線６が着用者の腰骨に接することによる違和感の解消が可能となる。
【００２３】
なお、本発明の実施の形態を詳述したが、本発明はこれに限ることなく、発明の要旨を逸脱しない範囲で変更可能である。例えば、前記前身頃片２と後身頃片３との間に股下片４aを縫合して股下部４を形成した実施の形態について述べたが、股下片４を廃止して、前身頃片２と後身頃片３とを直接縫合する構成としても良い。
また、前記伸縮性ギャザー部２０、背側部１９及び股下部４の伸び易さを選択する場合に、伸縮性テープ１６の幅や厚さ等を変更することも可能である。
【００２４】
【発明の効果】
以上、詳細に説明したように、本発明によれば、ショーツが着用者の動作に追従でき、ショーツに装着した吸収性パッドがずれることなく陰部に密着できるようにしたショーツが得られる。
【図面の簡単な説明】
【図１】本発明のショーツの正面図である。
【図２】図１に示すショーツの背面図である。
【符号の説明】
１ ショーツ
２ 前身頃片
３ 後身頃片
４ 股下部
４ａ 股当て片
５，６，７，８ 縫合線
１１ 胴周り開口部
１２ 脚周り開口部
１６ 伸縮性テープ
１９ 背側部
２０ 伸縮性ギャザー部
【図１】
0003874398.tif 000002
【図２】
0003874398.tif 000003